(57)【要約】【課題】写真データ等のコンテンツの集まりに対して、撮影時の思い出にあったBGMを付加する。【解決手段】検索部１４３は、複数の写真データの集まりであるスクラップブックの表示が指示されたときに、スクラップブック（複数の写真データ）のメタデータであるスクラップブックメタデータに関連する音楽メタデータを検索し、スクラップブック表示制御部１４４は、表示が指示されたスクラップブックの表示を制御し、音楽再生制御部１４６は、スクラップブック表示制御部１４４によるスクラップブックの表示と並行して、検索された音楽メタデータに対応する音楽データの再生を制御する。本発明は、例えば、電子的な写真のアルバムであるスクラップブックを表示する場合に適用することができる。【選択図】図２
2010124475.tif 000002
【特許請求の範囲】
【請求項１】
画像データを表示し、音楽データを再生する情報処理装置において、
前記音楽データの特徴を解析して、前記音楽データを所定のカテゴリに分類する分類手段と、
前記カテゴリと複数の前記画像データのメタデータである前記画像メタデータとを対応付けるカテゴリ対応情報を記憶する対応情報記憶手段と、
複数の前記画像データの表示が指示されたときに、前記画像メタデータに関連する、前記音楽データのメタデータである音楽メタデータを検索する検索手段と、
表示が指示された複数の前記画像データの表示を制御する表示制御手段と、
前記表示制御手段による複数の前記画像データの表示と並行して、前記検索手段により検索された前記音楽メタデータに対応する前記音楽データの再生を制御する再生制御手段と
を備え、
前記音楽メタデータは、前記カテゴリ対応情報を含むように構成され、
前記検索手段は、前記画像メタデータに対応付けられた前記カテゴリ対応情報を含む前記音楽メタデータを検索する
情報処理装置。
【請求項２】
ユーザの操作に応じて、前記画像メタデータの１つとして、複数の前記画像データの雰囲気を入力する入力手段をさらに備え、
前記対応情報記憶手段は、前記音楽データを分類するカテゴリの雰囲気を表すカテゴリ対応情報を記憶し、
前記検索手段は、複数の前記画像データの雰囲気と同一である雰囲気を表す前記カテゴリ対応情報、または近似した雰囲気を表す前記カテゴリ対応情報を含む前記音楽メタデータを検索する
請求項１に記載の情報処理装置。
【請求項３】
画像データを表示し、音楽データを再生する情報処理装置の情報処理方法において、
前記音楽データの特徴を解析して、前記音楽データを所定のカテゴリに分類する分類ステップと、
前記カテゴリと複数の前記画像データのメタデータである前記画像メタデータとを対応付けるカテゴリ対応情報を記憶する記憶ステップと、
複数の前記画像データの表示が指示されたときに、前記画像メタデータに関連する、前記音楽データのメタデータである音楽メタデータを検索する検索ステップと、
表示が指示された複数の前記画像データの表示を制御する表示制御ステップと、
複数の前記画像データの表示と並行して、検索された前記音楽メタデータに対応する前記音楽データの再生を制御する再生制御ステップと
を含み、
前記音楽メタデータは、前記カテゴリ対応情報を含むように構成され、
前記検索ステップは、前記画像メタデータに対応付けられた前記カテゴリ対応情報を含む前記音楽メタデータを検索する
情報処理方法。
【請求項４】
画像データを表示し、音楽データを再生する処理を、コンピュータに実行させるプログラムにおいて、
前記音楽データの特徴を解析して、前記音楽データを所定のカテゴリに分類する分類ステップと、
前記カテゴリと複数の前記画像データのメタデータである前記画像メタデータとを対応付けるカテゴリ対応情報を記憶する記憶ステップと、
複数の前記画像データの表示が指示されたときに、前記画像メタデータに関連する、前記音楽データのメタデータである音楽メタデータを検索する検索ステップと、
表示が指示された複数の前記画像データの表示を制御する表示制御ステップと、
複数の前記画像データの表示と並行して、検索された前記音楽メタデータに対応する前記音楽データの再生を制御する再生制御ステップと
を含む処理をコンピュータに実行させ、
前記音楽メタデータは、前記カテゴリ対応情報を含むように構成され、
前記検索ステップは、前記画像メタデータに対応付けられた前記カテゴリ対応情報を含む前記音楽メタデータを検索する
プログラム。
【発明の詳細な説明】
【技術分野】
【０００１】
本発明は、情報処理装置、情報処理方法、およびプログラムに関し、特に、例えば、写真データ等のコンテンツの集まりに対して、撮影時の思い出にあったBGMを付加することができるようにする情報処理装置、情報処理方法、およびプログラムに関する。
【背景技術】
【０００２】
例えば、ディジタルカメラにおいては、被写体を撮影して得られるディジタル画像データ（以下、適宜、写真データという）を、その写真データの撮影が行われた撮影日時等を含むメタデータとともに記録する。
【０００３】
また、ディジタルカメラの普及に伴い、写真データを、コンピュータで管理するための種々の管理用アプリケーションが提供（販売）されている。管理用アプリケーションでは、例えば、メタデータに含まれる撮影日時に基づいて、撮影がされた年、月、日が同一の写真データが、１つのグループにグループ分けされる。
【０００４】
ところで、銀塩カメラで撮影された写真については、ユーザは、撮影日時や、撮影位置（撮影場所）、イベント等によって、写真を分け、撮影の日付が同一の写真や、撮影場所が同一の写真、１つのイベントで撮影された写真等を、アルバムの１ページや、連続する複数ページに配置して、写真の整理を行う。
【０００５】
写真データについても、実際の写真を整理するアルバムを模した電子的なアルバム（以下、スクラップブックともいう）を用いて、写真データを整理する管理用アプリケーションがある。
【０００６】
スクラップブックを用いて、写真データを整理する場合、写真データに付加されているメタデータが読み込まれ、同一のメタデータや類似するメタデータが付加されている写真データがまとめられて、スクラップブックの各ページに配置される。すなわち、スクラップブックの各ページには、撮影の日付が同一の写真データや、撮影場所が同一の写真データ、１つのイベントで撮影された写真データの集まりが配置される。
【０００７】
ユーザは、同一のメタデータや類似するメタデータでまとめられた写真データの集まりが配置されたスクラップブックを見ることにより、関連性のある写真データをまとめて楽しむことができ、また、今まで気づかなかった関連性を発見することができる。
【０００８】
ところで、ユーザにより、再生対象とする静止画が格納されたフォトアルバムが選択されて、続けて、BGM（Back Ground Music）とする曲が選択されたとき、静止画が、BGMとする曲の雰囲気に対応付けられたエフェクトが施された形で再生される情報処理装置が先に提案されている（例えば、特許文献１参照）。
【先行技術文献】
【特許文献】
【０００９】
【特許文献１】特開２００６−８６６２２号公報
【発明の概要】
【発明が解決しようとする課題】
【００１０】
スクラップブックにBGMを付加する場合、ユーザが、スクラップブックの各ページに配置されている写真データの集まりに関連する曲を選択する他に、装置がランダムに曲を選択する手法がある。
【００１１】
しかしながら、スクラップブックに、そのスクラップブックの各ページに配置されている写真データの集まりに関連する曲を、自動的に付加する手法は提案されていない。
【００１２】
本発明は、このような状況に鑑みてなされたものであり、写真データ等のコンテンツの集まりに対して、撮影時の思い出にあったBGMを付加することができるようにするものである。
【課題を解決するための手段】
【００１３】
本発明の一側面の情報処理装置は、画像データを表示し、音楽データを再生する情報処理装置であって、前記音楽データの特徴を解析して、前記音楽データを所定のカテゴリに分類する分類手段と、前記カテゴリと複数の前記画像データのメタデータである前記画像メタデータとを対応付けるカテゴリ対応情報を記憶する対応情報記憶手段と、複数の前記画像データの表示が指示されたときに、前記画像メタデータに関連する、前記音楽データのメタデータである音楽メタデータを検索する検索手段と、表示が指示された複数の前記画像データの表示を制御する表示制御手段と、前記表示制御手段による複数の前記画像データの表示と並行して、前記検索手段により検索された前記音楽メタデータに対応する前記音楽データの再生を制御する再生制御手段とを備え、前記音楽メタデータは、前記カテゴリ対応情報を含むように構成され、前記検索手段は、前記画像メタデータに対応付けられた前記カテゴリ対応情報を含む前記音楽メタデータを検索する。
【００１４】
前記情報処理装置には、ユーザの操作に応じて、前記画像メタデータの１つとして、複数の前記画像データの雰囲気を入力する入力手段をさらに設け、前記対応情報記憶手段には、前記音楽データの雰囲気を表すカテゴリ対応情報を記憶させ、前記検索手段には、複数の前記画像データの雰囲気と同一であるか、または近似した雰囲気を表す前記カテゴリ対応情報を含む前記音楽メタデータを検索させることができる。
【００１５】
本発明の一側面の情報処理方法は、画像データを表示し、音楽データを再生する情報処理装置の情報処理方法であって、前記音楽データの特徴を解析して、前記音楽データを所定のカテゴリに分類する分類ステップと、前記カテゴリと複数の前記画像データのメタデータである前記画像メタデータとを対応付けるカテゴリ対応情報を記憶する記憶ステップと、複数の前記画像データの表示が指示されたときに、前記画像メタデータに関連する、前記音楽データのメタデータである音楽メタデータを検索する検索ステップと、表示が指示された複数の前記画像データの表示を制御する表示制御ステップと、複数の前記画像データの表示と並行して、検索された前記音楽メタデータに対応する前記音楽データの再生を制御する再生制御ステップとを含み、前記音楽メタデータは、前記カテゴリ対応情報を含むように構成され、前記検索ステップは、前記画像メタデータに対応付けられた前記カテゴリ対応情報を含む前記音楽メタデータを検索する。
【００１６】
本発明の一側面のプログラムは、画像データを表示し、音楽データを再生する処理を、コンピュータに実行させるプログラムであって、前記音楽データの特徴を解析して、前記音楽データを所定のカテゴリに分類する分類ステップと、前記カテゴリと複数の前記画像データのメタデータである前記画像メタデータとを対応付けるカテゴリ対応情報を記憶する記憶ステップと、複数の前記画像データの表示が指示されたときに、前記画像メタデータに関連する、前記音楽データのメタデータである音楽メタデータを検索する検索ステップと、表示が指示された複数の前記画像データの表示を制御する表示制御ステップと、複数の前記画像データの表示と並行して、検索された前記音楽メタデータに対応する前記音楽データの再生を制御する再生制御ステップとを含む処理をコンピュータに実行させ、前記音楽メタデータは、前記カテゴリ対応情報を含むように構成され、前記検索ステップは、前記画像メタデータに対応付けられた前記カテゴリ対応情報を含む前記音楽メタデータを検索する。
【００１７】
本発明の一側面においては、音楽データの特徴が解析されて、音楽データが所定のカテゴリに分類され、カテゴリと複数の画像データのメタデータである画像メタデータとが対応付けられ、複数の画像データの表示が指示されたときに、画像メタデータに関連する、音楽データのメタデータである音楽メタデータが検索され、表示が指示された複数の画像データの表示が制御され、複数の画像データの表示と並行して、検索された音楽メタデータに対応する音楽データの再生が制御される。なお、音楽メタデータは、カテゴリ対応情報を含むように構成され、画像メタデータに対応付けられたカテゴリ対応情報を含む音楽メタデータが検索される。
【発明の効果】
【００１８】
本発明の一側面によれば、写真データ等のコンテンツの集まりに対して、撮影時の思い出にあったBGMを付加することができる。
【図面の簡単な説明】
【００１９】
【図１】本発明を適用したPCの一実施の形態の構成例を示すブロック図である。
【図２】スクラップブック装置の機能的な構成例を示すブロック図である。
【図３】配置写真メタデータの例を示す図である。
【図４】主メタデータの例を示す図である。
【図５】音楽メタデータの例を示す図である。
【図６】スクラップブックメタデータ取得処理を説明するフローチャートである。
【図７】音楽メタデータ取得処理を説明するフローチャートである。
【図８】スクラップブック表示制御処理を説明するフローチャートである。
【発明を実施するための形態】
【００２０】
以下、図面を参照して、本発明の実施の形態について説明する。
【００２１】
図１は、本発明を適用した情報処理装置としてのPC(Personal Computer)の一実施の形態の構成例を示すブロック図である。
【００２２】
図１において、PCは、CPU(Central Processing Unit)１０１，ROM(Read Only Memory)１０２，RAM(Random Access Memory)１０３，HD(Hard Disk)１０４、出力部１０５、入力部１０６、通信部１０７、ドライブ１０８、および入出力I/F(Interface)１０９が、バスを介して相互に接続されて構成されている。なお、CPU１０１乃至入出力I/F１０９それぞれの間では、バスを介して、必要なデータ等がやりとりされる。
【００２３】
CPU１０１は、ROM１０２やRAM１０３に記憶されたプログラムを実行することにより、PCを構成する各ブロックを制御するとともに、電子的なアルバムであるスクラップブックを用いて、写真データ等のコンテンツを整理するスクラップブック装置として、PCを機能させるのに必要な処理を行う。
【００２４】
ROM１０２は、CPU１０１が実行するプログラム等を記憶している。
【００２５】
RAM１０３は、CPU１０１が実行するプログラムや、CPU１０１の動作上必要なデータ等を一時記憶する。
【００２６】
HD１０４は、CPU１０１が実行するプログラムや、CPU１０１の動作上必要なデータ等を記憶する。
【００２７】
出力部１０５は、例えば、LCD(Liquid Crystal Display)やスピーカ等で構成され、画像を表示し、音声を出力する。
【００２８】
入力部１０６は、キーボードや、マウス、マイクロフォン等で構成され、例えば、PCに指令を与えるとき等に、ユーザによって操作される。
【００２９】
通信部１０７は、例えば、LAN(Local Area Network)やインターネット等のネットワークと通信を行うためのI/Fであり、ネットワークとの間で、必要に応じて、データ等のやりとり（通信）を行う。
【００３０】
ドライブ１０８には、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体１１１を着脱することができるようになっている。ドライブ１０８は、そこに装着されたリムーバブル記録媒体１１１を駆動して、リムーバブル記録媒体１１１に、バスから供給されるデータ等を記録し、また、リムーバブル記録媒体１１１からデータ等を読み出して、バス上に出力する。
【００３１】
入出力I/F１０９は、外部の機器との間で、データ等をやりとりするためのI/Fである。入出力I/F１０９としては、例えば、USB(Universal Serial Bus)、およびIEEE(Institute of Electrical and Electronics)1394等の有線通信や、BlueTooth（商標）等による無線通信を行う通信I/Fを採用することができる。
【００３２】
以上のように構成されるPCにおいては、ユーザは、入出力I/F１０９に、外部の機器としての、例えば、ディジタルスチルカメラや、ディジタルビデオカメラ等のカメラ１１２を接続し、そのカメラ１１２で撮影された画像データとしての写真データを、カメラ１１２から、入出力I/F１０９を経由して、HD１０４に取り込む（HD１０４に記憶させる）ことができるようになっている。
【００３３】
同様に、ユーザは、入出力I/F１０９に、外部の機器としての、例えば、ポータブルオーディオプレーヤや、カーオーディオ等のオーディオプレーヤ１１３を接続し、そのオーディオプレーヤ１１３に記憶されている音楽データを、オーディオプレーヤ１１３から、入出力I/F１０９を経由して、HD１０４に取り込む（HD１０４に記憶させる）ことができるようになっている。
【００３４】
また、図１のPCでは、PCを、スクラップブック装置として機能させるためのアプリケーションプログラム（スクラップブックプログラム）がHD１０４にインストールされており、CPU１０１が、HD１０４からスクラップブックプログラムを読み出し、RAM１０３上に展開して実行する。これにより、PCは、スクラップブックを用いて、HD１０４に記憶されている写真データ等のコンテンツを整理するスクラップブック装置として機能する。
【００３５】
なお、PC（のCPU１０１）が実行するプログラムは、上述のように、PC（のHD１０４）に予めインストールしておくことができる他、リムーバブル記録媒体１１１に格納し、リムーバブル記録媒体１１１からPCにインストールし、あるいは、インターネットのダウンロードサイト等から、通信部１０７を介してダウンロードして、PCにインストールすることができる。
【００３６】
図２は、CPU１０１がスクラップブックプログラムを実行することにより機能的に実現されるスクラップブック装置の構成例を示している。
【００３７】
すなわち、図１のPCにおいて、例えば、ユーザが、スクラップブックプログラムを実行するように、入力部１０６を操作すると、または、カメラ１１２やオーディオプレーヤ１１３が、入出力I/F１０９（図１）に接続されると、CPU１０１がHD１０４に記憶されたスクラップブックプログラムを実行し、これにより、PCは、図２のスクラップブック装置として機能する。
【００３８】
図２において、スクラップブック装置は、画像データ記憶部１３１、スクラップブック生成部１３２、スクラップブック記憶部１３３、スクラップブックメタデータ取得部１３４、スクラップブックメタデータ記憶部１３５、音楽データ取り込み部１３６、音楽データ記憶部１３７、音楽データ分類部１３８、カテゴリ対応情報記憶部１３９、音楽メタデータ取得部１４０、音楽メタデータ記憶部１４１、操作部１４２、検索部１４３、スクラップブック表示制御部１４４、表示部１４５、音楽再生制御部１４６、および再生部１４７から構成される。
【００３９】
画像データ記憶部１３１は、カメラ１１２から、スクラップブック装置としてのPCに取り込まれたコンテンツとしての写真データを記憶する。
【００４０】
ここで、カメラ１１２は、ユーザの操作に応じて撮影を行い、その撮影の結果得られる写真データを、内部のメモリや着脱可能なメモリに記憶する。また、カメラ１１２は、写真データに対応するExif(Exchangeable image file format)情報として、その写真データの撮影が行われた撮影日時（例えば、年、月、日、時、分、秒を含む）や撮影場所（位置）、焦点距離、絞り値、シャッタスピードなどの撮影時の設定状態等を、内部のメモリ等に記憶する。さらに、カメラ１１２は、内部のメモリ等に記憶した写真データとExif情報を、例えば１つのファイルとして、外部に出力（送信）することができるようになっている。
【００４１】
スクラップブック装置では、カメラ１１２から、写真データとExif情報が取り込まれ、画像データ記憶部１３１に記憶される。
【００４２】
スクラップブック生成部１３２は、スクラップブックの各ページに、画像データ記憶部１３１に記憶された写真データを、Exif情報である撮影日時等でグループ分けして貼り付けた（配置した）スクラップブックを生成し、スクラップブック記憶部１３３に供給する。
【００４３】
なお、スクラップブック生成部１３２は、スクラップブックに、そのスクラップブックを特定するスクラップブックID（Identification）（例えば、ファイル名等）を対応付ける。スクラップブックを表示するときには、スクラップブックに対応付けられているスクラップブックIDによって特定されるスクラップブックが、スクラップブック記憶部１３３から読み出されて表示される。
【００４４】
また、スクラップブック生成部１３２が生成するスクラップブックには、そのスクラップブックの各ページに配置された写真データが含まれる。すなわち、スクラップブック生成部１３２は、スクラップブックの各ページに、そのページに配置された写真データを特定する写真ID（例えば、ファイル名等）を対応付ける。スクラップブックを表示するときには、各ページに対応付けられている写真IDによって特定される写真データが、画像データ記憶部１３１から読み出されて表示される。
【００４５】
スクラップブック記憶部１３３は、スクラップブック生成部１３２から供給されるスクラップブックを記憶する。
【００４６】
スクラップブックメタデータ取得部１３４は、スクラップブック生成部１３２で生成されるスクラップブックのメタデータであるスクラップブックメタデータを取得し、スクラップブックメタデータ記憶部１３５に供給する。
【００４７】
すなわち、スクラップブックメタデータ取得部１３４は、スクラップブック生成部１３２でスクラップブックの各ページに配置される写真データに対応するExif情報を取得して、写真IDと対応付け、スクラップブックのメタデータ（以下、配置写真メタデータという）としてスクラップブックメタデータ記憶部１３５に供給する。
【００４８】
ここで、スクラップブックメタデータ取得部１３４は、ユーザが入力部１０６を操作して入力されるユーザ入力情報（例えば、写真データに対するコメント等）を取得し、配置写真メタデータに追加することができる。すなわち、配置写真メタデータは、少なくとも、写真ID、Exif情報、およびユーザ入力情報からなる。
【００４９】
さらに、スクラップブックメタデータ取得部１３４は、スクラップブック生成部１３２でスクラップブックの各ページに配置される写真データの写真IDを取得して、スクラップブックIDと対応付け、スクラップブックのメタデータ（以下、主メタデータという）としてスクラップブックメタデータ記憶部１３５に供給する。
【００５０】
ここで、スクラップブックメタデータ取得部１３４は、ユーザが入力部１０６を操作して入力されるユーザ入力情報（例えば、スクラップブックのタイトル、スクラップブック全体の雰囲気（「楽しい」、「静かな」、「厳かな」等）、スクラップブックの各ページに配置される写真データが撮影された期間等）を取得し、主メタデータに追加することができる。すなわち、主メタデータは、少なくとも、スクラップブックID、写真ID、およびユーザ入力情報からなる。
【００５１】
なお、以下、主メタデータと配置写真メタデータとあわせて、スクラップブックメタデータという。
【００５２】
スクラップブックメタデータ記憶部１３５は、スクラップブックメタデータ取得部１３４から供給されるスクラップブックメタデータ（主メタデータおよび配置写真メタデータ）を記憶する。
【００５３】
音楽データ取り込み部１３６は、スクラップブック装置としてのPCに接続されているオーディオプレーヤ１１３から音楽データを取り込み、音楽データ記憶部１３７に供給する。
【００５４】
ここで、オーディオプレーヤ１１３は、音楽データを、内部のメモリや着脱可能なメモリに記憶し、ユーザの操作に応じて音楽データの再生を行う。また、オーディオプレーヤ１１３は、音楽データに付加される付加情報として、その音楽データに対応する音楽（曲）のタイトル、アーティスト名、発売日（年、月、日）や、その音楽データがオーディオプレーヤ１１３で再生された再生履歴を、内部のメモリ等に記憶する。さらに、オーディオプレーヤ１１３は、内部のメモリ等に記憶した音楽データと付加情報を、例えば１つのファイルとして、外部に出力（送信）することができるようになっている。
【００５５】
スクラップブック装置では、音楽データ取り込み部１３６によって、オーディオプレーヤ１１３から、音楽データと付加情報が取り込まれ、音楽データ記憶部１３７に記憶される。
【００５６】
なお、ここで、音楽データ取り込み部１３６は、音楽データに、その音楽データを特定する音楽ID（例えば、ファイル名等）を対応付ける。音楽データを再生するときには、音楽データに対応付けられている音楽IDによって特定される音楽データが、音楽データ記憶部１３７から読み出されて再生される。
【００５７】
音楽データ記憶部１３７は、音楽データ取り込み部１３６から供給される音楽データと付加情報を記憶する。
【００５８】
音楽データ分類部１３８は、音楽データ記憶部１３７から音楽データを取得し、その音楽データの特徴を解析する。さらに、音楽データ分類部１３８は、音楽データの特徴の解析結果に基づき、その音楽データを、複数のカテゴリのうちのいずれかのカテゴリに分類して、そのカテゴリを表すカテゴリ情報を音楽メタデータ取得部１４０に供給する。
【００５９】
具体的には、例えば、音楽データ分類部１３８は、音楽データ記憶部１３７において音楽データが記憶されると、音楽データ記憶部１３７から音楽データを取得し、その音楽データとしてのオーディオ信号を８オクターブに分割する。さらに、音楽データ分類部１３８は、その８オクターブのそれぞれについて、１２の音程のオーディオ信号を抽出し、オーディオ信号のメロディ、コード進行、テンポ、音符の数などといった音楽的な特徴を解析する。
【００６０】
また、音楽データ分類部１３８は、解析の結果得られた音楽データの特徴を基に、音楽データを、その特徴に応じたカテゴリ、例えば、「軽快な曲」、「しっとりした曲」、「荘厳な曲」等に分類し、そのカテゴリを表すカテゴリ情報を音楽メタデータ取得部１４０に供給する。
【００６１】
カテゴリ対応情報記憶部１３９は、音楽データ分類部１３８が音楽データを分類するカテゴリと、スクラップブックメタデータ記憶部１３５に記憶されているスクラップブックメタデータとを対応付けるためのカテゴリ対応情報を記憶する。
【００６２】
例えば、カテゴリ対応情報は、音楽データを分類するカテゴリの雰囲気（ひいては、音楽データの雰囲気）を表す情報であって、スクラップブックメタデータ記憶部１３５に記憶されているスクラップブックメタデータのスクラップブック全体の雰囲気（ユーザ入力情報）と対応付けられる。
【００６３】
すなわち、カテゴリ対応情報記憶部１３９には、例えば、カテゴリ「軽快な曲」に対応した「楽しい」雰囲気を表すカテゴリ対応情報や、カテゴリ「しっとりした曲」に対応した「静かな」雰囲気を表すカテゴリ対応情報、カテゴリ「荘厳な曲」に対応した「厳かな」雰囲気を表すカテゴリ対応情報等が記憶されている。
【００６４】
音楽メタデータ取得部１４０は、音楽データ取り込み部１３６で取り込まれた音楽データのメタデータである音楽メタデータを取得し、音楽メタデータ記憶部１４１に供給する。
【００６５】
すなわち、音楽メタデータ取得部１４０は、音楽データ記憶部１３７に記憶されている音楽データに付加されている付加情報を取得するとともに、音楽データ分類部１３８から供給されたカテゴリ情報に対応するカテゴリ対応情報を、カテゴリ対応情報記憶部１３９から取得し、音楽IDと対応付け、音楽データのメタデータ（以下、音楽メタデータという）として、音楽メタデータ記憶部１４１に供給する。
【００６６】
すなわち、音楽メタデータは、少なくとも、音楽ID、付加情報、およびカテゴリ対応情報からなる。
【００６７】
なお、音楽メタデータ取得部１４０は、ユーザが入力部１０６を操作して入力されるユーザ入力情報を取得し、音楽メタデータに追加するようにしてもよい。
【００６８】
音楽メタデータ記憶部１４１は、音楽メタデータ取得部１４０から供給される音楽メタデータを記憶する。
【００６９】
操作部１４２は、ユーザによって操作され、その操作に対応する操作信号を、検索部１４３に供給する。具体的には、操作部１４２は、ユーザによる、スクラップブックの表示を指示する操作に対応する操作信号を、検索部１４３に供給する。
【００７０】
検索部１４３は、操作部１４２からの操作信号に応じて、表示が指示されたスクラップブックのスクラップブックメタデータに関連する音楽メタデータを検索し、表示が指示されたスクラップブックを表示させる旨の情報をスクラップブック表示制御部１４４に供給するとともに、表示が指示されたスクラップブックに関連する音楽メタデータに対応する音楽データを再生させる旨の情報を音楽再生制御部１４６に供給する。
【００７１】
すなわち、検索部１４３は、操作部１４２からの操作信号に応じて、表示が指示されたスクラップブックのスクラップブックIDに対応付けられている主メタデータと、その主メタデータに含まれる写真IDに対応付けられている配置写真メタデータとを、スクラップブックメタデータ記憶部１３５から取得する。
【００７２】
検索部１４３は、スクラップブックメタデータ記憶部１３５から取得した主メタデータおよび配置写真メタデータに含まれる情報と同一の情報を含む音楽メタデータ、または類似する情報を含む音楽メタデータを、音楽メタデータ記憶部１４１において検索する。
【００７３】
例えば、検索部１４３は、スクラップブックメタデータ記憶部１３５から取得した主メタデータに含まれる「スクラップブックの各ページに配置される写真データが撮影された期間」や配置写真メタデータに含まれるExif情報の「撮影日時」に、時間的に近い付加情報の「発売日」または「再生履歴」を含む音楽メタデータを、音楽メタデータ記憶部１４１において検索する。
【００７４】
検索の結果、スクラップブックメタデータ記憶部１３５から取得した主メタデータおよび配置写真メタデータに含まれる情報と同一を含む音楽メタデータ、または類似する情報を含む音楽メタデータがあった場合、検索部１４３は、スクラップブックメタデータ記憶部１３５から取得した主メタデータのスクラップブックIDで特定されるスクラップブックを表示させる旨の情報をスクラップブック表示制御部１４４に供給するとともに、検索された音楽メタデータの音楽IDで特定される音楽データを再生させる旨の情報を音楽再生制御部１４６に供給する。
【００７５】
また、スクラップブックメタデータ記憶部１３５から取得した主メタデータおよび配置写真メタデータに含まれる情報と同一の情報を含む音楽メタデータ、および類似する情報を含む音楽メタデータのいずれもなかった場合、検索部１４３は、スクラップブックメタデータ記憶部１３５から取得した主メタデータのスクラップブックIDで特定されるスクラップブックを表示させる旨の情報をスクラップブック表示制御部１４４に供給する。
【００７６】
スクラップブック表示制御部１４４は、検索部１４３からのスクラップブックを表示させる旨の情報に応じて、スクラップブック記憶部１３３に記憶されたスクラップブックを読み出し、そのスクラップブックのサムネイルやページを、表示部１４５に表示させる制御を行う。
【００７７】
表示部１４５は、スクラップブック表示制御部１４４からの制御に従い、スクラップブックのサムネイルやページ等を表示する。
【００７８】
音楽再生制御部１４６は、検索部１４３からの音楽データを再生させる旨の情報に応じて、音楽メタデータ記憶部１４１に記憶された音楽データを読み出し、再生部１４７に再生させる制御を行う。
【００７９】
再生部１４７は、音楽再生制御部１４６からの制御に従い、音楽データを再生する。
【００８０】
なお、図２において、画像データ記憶部１３１、スクラップブック記憶部１３３、スクラップブックメタデータ記憶部１３５、音楽データ記憶部１３７、カテゴリ対応情報記憶部１３９、および音楽メタデータ記憶部１４１は、図１のHD１０４やRAM１０３に対応する。また、スクラップブック生成部１３２、スクラップブックメタデータ取得部１３４、音楽データ取り込み部１３６、音楽データ分類部１３８、音楽メタデータ取得部１４０、検索部１４３、スクラップブック表示制御部１４４、および音楽再生制御部１４６は、図１のCPU１０１等に対応し、操作部１４２は、図１の入力部１０６に対応する。さらに、表示部１４５および再生部１４７は、図１の出力部１０５に対応する。
【００８１】
以上のように構成されるスクラップブック装置では、画像データ記憶部１３１に記憶された写真データを各ページに配置したスクラップブックを生成するスクラップブック生成処理や、オーディオプレーヤ１１３から音楽データを取り込む音楽データ取り込み処理、さらには、スクラップブック生成部１３２により生成されるスクラップブックのスクラップブックメタデータを取得するスクラップブックメタデータ取得処理、音楽データ記憶部１３７に記憶された音楽データの音楽メタデータを取得する音楽メタデータ取得処理、および、スクラップブック記憶部１３３に記憶されたスクラップブックを表示部１４５に表示させるスクラップブック表示制御処理が行われる。
【００８２】
図３は、スクラップブックメタデータ取得処理によって、スクラップブックメタデータ取得部１３４に取得され、スクラップブックメタデータ記憶部１３５に記憶される配置写真メタデータの例を示している。
【００８３】
配置写真メタデータは、ID、撮影日時、コメント、焦点距離等から構成される。
【００８４】
IDは、スクラップブックの各ページに配置される写真データを特定する写真IDであり、スクラップブック生成部１３２によって設定され、スクラップブックメタデータ取得部１３４によって取得される。図３の例では、IDは、「P1」となっている。
【００８５】
撮影日時は、カメラ１１２において、写真データの撮影が行われた撮影日時であり、スクラップブックメタデータ取得部１３４によって取得されるExif情報の１つである。図３の例では、撮影日時は、８月１５日１１時１５を表す「8/15 11:15」となっている。
【００８６】
コメントは、ユーザが入力部１０６を操作して入力されるユーザ入力情報としての、写真データに対するコメントであり、スクラップブックメタデータ取得部１３４によって取得される。図３の例では、コメントは、「浜辺にて」となっている。
【００８７】
焦点距離は、カメラ１１２における、写真データの撮影時の設定状態のうちの焦点距離であり、スクラップブックメタデータ取得部１３４によって取得されるExif情報の１つである。
【００８８】
さらに、配置写真メタデータには、例えば、スクラップブックメタデータ取得部１３４によって取得されるExif情報に含まれる撮影場所（位置）や、絞り値、シャッタスピード等を含むようにしてもよい。
【００８９】
図４は、スクラップブックメタデータ取得処理によって、スクラップブックメタデータ取得部１３４に取得され、スクラップブックメタデータ記憶部１３５に記憶される主メタデータの例を示している。
【００９０】
主メタデータは、ID、タイトル、雰囲気、期間、写真IDから構成される。
【００９１】
IDは、スクラップブックを特定するスクラップブックIDであり、スクラップブック生成部１３２によって設定され、スクラップブックメタデータ取得部１３４によって取得される。図４の例では、IDは、「S1」となっている。
【００９２】
タイトルは、ユーザが入力部１０６を操作して入力されるユーザ入力情報としての、スクラップブックのタイトルであり、スクラップブックメタデータ取得部１３４によって取得される。図４の例では、タイトルは、「伊豆旅行」となっている。
【００９３】
雰囲気は、ユーザが入力部１０６を操作して入力されるユーザ入力情報としての、スクラップブックの各ページに配置される写真データの雰囲気であり、スクラップブックメタデータ取得部１３４によって取得される。図４の例では、雰囲気は、「楽しい」となっている。
【００９４】
期間は、ユーザが入力部１０６を操作して入力されるユーザ入力情報としての、スクラップブックの各ページに配置される写真データが撮影された期間であり、スクラップブックメタデータ取得部１３４によって取得される。図４の例では、期間は、日を単位とした、８月１５日乃至１７日を表す「8/15-17」となっている。
【００９５】
写真IDは、ID（スクラップブックID）で特定されるスクラップブックの各ページに配置される写真データの写真IDであり、スクラップブックメタデータ取得部１３４によって設定される。図４の例では、写真IDは、「P1,P2,・・・」となっている。
【００９６】
すなわち、スクラップブックIDが「S1」であるスクラップブックには、写真IDが「P1」である写真データ、写真IDが「P2」である写真データを含む写真データが配置されている。
【００９７】
図５は、音楽メタデータ取得処理によって、音楽メタデータ取得部１４０に取得され、音楽メタデータ記憶部１４１に記憶される音楽メタデータの例を示している。
【００９８】
音楽メタデータは、ID、タイトル、アーティスト名、発売日、再生履歴、雰囲気から構成される。
【００９９】
IDは、音楽データを特定する音楽IDであり、音楽データ取り込み部１３６によって設定され、音楽メタデータ取得部１４０に取得される。図５の例では、IDは、「M1」となっている。
【０１００】
タイトルは、音楽データに対応する音楽（曲）のタイトルであり、音楽メタデータ取得部１４０によって取得される付加情報の１つである。図５の例では、タイトルは、「ABC」となっている。
【０１０１】
アーティスト名は、音楽データに対応する音楽（曲）のアーティスト名であり、音楽メタデータ取得部１４０によって取得される付加情報の１つである。図５の例では、アーティスト名は、「AAA」となっている。
【０１０２】
発売日は、音楽データに対応する音楽（曲）が発売された（または、ネットワーク等を介して配信が開始された）年月日であり、音楽メタデータ取得部１４０によって取得される付加情報の１つである。図５の例では、発売日は、２００６年８月１日を表す「2006.8.1」となっている。
【０１０３】
再生履歴は、ユーザによって、オーディオプレーヤ１１３で音楽データに対応する音楽（曲）が再生された直近の日時であり、音楽メタデータ取得部１４０によって取得される付加情報の１つである。図５の例では、再生履歴は、２００６年８月１７日１４時２５分を表す「2006.8.17 14:25」となっている。
【０１０４】
雰囲気は、音楽データ分類部１３８によって、音楽データ（のカテゴリ）の雰囲気を表すカテゴリ対応情報であり、音楽メタデータ取得部１４０によって取得される。図５の例では、雰囲気は、「楽しい」となっている。
【０１０５】
ここで、ユーザによって、図４で示した、スクラップブックIDが「S1」であるスクラップブックの表示を指示する操作がされると、検索部１４３は、図３で示した配置写真メタデータに含まれる情報や、図４で示した主メタデータに含まれる情報と同一の情報を含む音楽メタデータ、または類似（近似）する情報を含む音楽メタデータを検索する。
【０１０６】
具体的には、例えば、検索部１４３は、図４で示した主メタデータに含まれる期間「8/15-17」が表す８月１５日乃至１７日の間の発売日または再生履歴を含む音楽メタデータを検索する。すなわち、検索部１４３は、８月１５日乃至１７日の間の発売日または再生履歴を検索条件として、音楽メタデータを検索する。
【０１０７】
図５で示した音楽メタデータにおける再生履歴「2006.8.17 14:25」は、図４で示した主メタデータに含まれる期間「8/15-17」が表す８月１５日乃至１７日の間の再生履歴であり、上述の検索条件に合致するので、検索部１４３は、主メタデータのスクラップブックID「P1」で特定されるスクラップブックを表示させる旨の情報をスクラップブック表示制御部１４４に供給するとともに、音楽ID「M1」で特定される音楽データを再生させる旨の情報を音楽再生制御部１４６に供給する。
【０１０８】
なお、検索の結果、主メタデータの期間が表す時間範囲内に該当する発売日または再生履歴を含む音楽メタデータが複数あった場合、検索部１４３は、例えば、複数の音楽メタデータそれぞれに対応する音楽データのうちの１つをランダムに再生させるように音楽メタデータを選択する。そして、検索部１４３は、その音楽データの再生が終了すると、再度、検索された複数の音楽メタデータそれぞれに対応する音楽データのうちの１つをランダムに再生させるように音楽メタデータを選択することを繰り返す。あるいは、検索部１４３は、検索された複数の音楽メタデータに含まれる発売日または再生履歴の古い（または、新しい）順に音楽データを再生させるように、音楽メタデータを順次選択する。
【０１０９】
また、検索の結果、主メタデータの期間が表す時間範囲内に該当する発売日または再生履歴を含む音楽メタデータがなかった場合、検索部１４３は、主メタデータの期間が表す時間範囲に、例えば、前後数日や前後１週間、同月の１日乃至末日の間等のマージンを設けて、その時間範囲内に該当する発売日または再生履歴を含む音楽メタデータを再度検索することができる。
【０１１０】
また、例えば、検索部１４３は、図４で示した主メタデータに含まれる雰囲気「楽しい」と同一（同義）の雰囲気を情報として含む音楽メタデータを検索する。すなわち、検索部１４３は、「楽しい」を表す雰囲気を検索条件として、音楽メタデータを検索する。
【０１１１】
図５で示した音楽メタデータにおける雰囲気「楽しい」は、図４で示した主メタデータに含まれる雰囲気「楽しい」と同一であり、上述の検索条件に合致するので、検索部１４３は、主メタデータのスクラップブックID「P1」で特定されるスクラップブックを表示させる旨の情報をスクラップブック表示制御部１４４に供給するとともに、音楽ID「M1」で特定される音楽データを再生させる旨の情報を音楽再生制御部１４６に供給する。
【０１１２】
なお、上述した説明では、検索部１４３は、図４で示した主メタデータに含まれる雰囲気「楽しい」と同一（同義）の雰囲気を情報として含む音楽メタデータを検索するようにしたが、図４で示した主メタデータに含まれる雰囲気「楽しい」の類義語である雰囲気（例えば、「愉快な」等）を情報として含む音楽メタデータを検索することもできる。
【０１１３】
さらに、例えば、検索部１４３は、図３で示した配置写真メタデータに含まれる撮影日時「8/15 11:15」が表す８月１５日１１時１５分の前後１時間以内の再生履歴を含む音楽メタデータを検索したり、図３で示した配置写真メタデータに含まれるコメント「浜辺にて」や、図４で示した主メタデータに含まれるタイトル「伊豆旅行」の類義語であるタイトルを含む音楽メタデータを検索したりすることもできる。
【０１１４】
なお、配置写真メタデータ、主メタデータ、および音楽メタデータは、上述した構成に限らず、さらに他の情報を含むようにしてもよい。
【０１１５】
次に、図６のフローチャートを参照して、図２のスクラップブック装置で行われるスクラップブックメタデータ取得処理について説明する。
【０１１６】
スクラップブックメタデータ取得処理は、例えば、カメラ１１２が、入出力I/F１０９（図１）に接続されると開始される。
【０１１７】
スクラップブックメタデータ取得処理では、写真データおよびExif情報が、カメラ１１２から、スクラップブック装置としてのPCに取り込まれ、ステップＳ３１において、画像データ記憶部１３１が、その写真データおよびExif情報を記憶して、処理は、ステップＳ３２に進む。
【０１１８】
ステップＳ３２において、スクラップブック生成部１３２は、画像データ記憶部１３１に記憶された写真データが、画像データ記憶部１３１に記憶されたExif情報に応じて各ページに配置されたスクラップブックを生成し、スクラップブック記憶部１３３に供給して、処理は、ステップＳ３３に進む。
【０１１９】
ステップＳ３３において、スクラップブックメタデータ取得部１３４は、スクラップブック生成部１３２で、スクラップブックの各ページに配置された写真データのExif情報を取得する。また、スクラップブックメタデータ取得部１３４は、ユーザが、入力部１０６を操作して、ユーザ入力情報である写真データに対するコメントを入力した場合には、そのコメントを取得する。そして、スクラップブックメタデータ取得部１３４は、写真データのExif情報やコメントと写真IDとを対応付け、配置写真メタデータを構成してスクラップブックメタデータ記憶部１３５に供給し、処理は、ステップＳ３３からステップＳ３４に進む。
【０１２０】
ステップＳ３４において、スクラップブックメタデータ取得部１３４は、スクラップブック生成部１３２で、スクラップブックの各ページに配置された写真データの写真IDを取得する。また、スクラップブックメタデータ取得部１３４は、ユーザが、入力部１０６を操作して、ユーザ入力情報であるスクラップブックのタイトルや、スクラップブック全体の雰囲気、スクラップブックの各ページに配置される写真データが撮影された期間を取得する。そして、スクラップブックメタデータ取得部１３４は、写真データの写真IDやタイトル、雰囲気、期間と、スクラップブックIDとを対応付け、主メタデータを構成してスクラップブックメタデータ記憶部１３５に供給し、処理は、ステップＳ３４からステップＳ３５に進む。
【０１２１】
ステップＳ３５において、スクラップブックメタデータ記憶部１３５は、スクラップブックメタデータ取得部１３４から供給される主メタデータおよび写真メタデータを、スクラップブックメタデータとして記憶し、スクラップブックメタデータ取得処理は終了する。
【０１２２】
なお、ステップＳ３３およびステップＳ３４では、スクラップブックメタデータ取得部１３４は、写真データのExif情報や写真IDを、スクラップブック生成部１３２から取得するようにしたが、スクラップブック記憶部１３３に記憶されているスクラップブックに配置された写真データのExif情報や写真IDを、スクラップブック記憶部１３３から取得するようにしてもよい。
【０１２３】
次に、図７のフローチャートを参照して、図２のスクラップブック装置で行われる音楽メタデータ取得処理について説明する。
【０１２４】
音楽メタデータ取得処理は、例えば、オーディオプレーヤ１１３が、入出力I/F１０９（図１）に接続されると開始される。
【０１２５】
音楽メタデータ取得処理では、ステップＳ５１において、音楽データ取り込み部１３６が、オーディオプレーヤ１１３から音楽データおよび付加情報を取り込み、音楽データ記憶部１３７に供給し、音楽データ記憶部１３７が、その音楽データおよび付加情報を記憶して、処理は、ステップＳ５２に進む。
【０１２６】
ステップＳ５２において、音楽データ分類部１３８は、音楽データ記憶部１３７から音楽データを取得し、その音楽データの特徴を解析する。さらに、音楽データ分類部１３８は、音楽データの解析結果に基づき、その音楽データを、複数のカテゴリのうちのいずれかのカテゴリに分類し、そのカテゴリを表すカテゴリ情報を音楽メタデータ取得部１４０に供給して、処理は、ステップＳ５３に進む。
【０１２７】
ステップＳ５３において、音楽メタデータ取得部１４０は、ステップＳ５１においてオーディオプレーヤ１１３から取り込まれ、音楽データ記憶部１３７に記憶されている音楽データの、タイトル、アーティスト名、再生履歴の付加情報を取得し、処理は、ステップＳ５４に進む。
【０１２８】
ステップＳ５４において、音楽メタデータ取得部１４０は、ステップＳ５２において音楽データ分類部１３８から供給されたカテゴリ情報に対応するカテゴリ対応情報を、カテゴリ対応情報記憶部１３９から取得し、処理は、ステップＳ５５に進む。
【０１２９】
ステップＳ５５において、音楽メタデータ取得部１４０は、付加情報およびカテゴリ対応情報と、音楽IDとを対応付け、音楽メタデータを構成して音楽メタデータ記憶部１４１に供給する。そして、音楽メタデータ記憶部１４１は、音楽メタデータ取得部１４０から供給された音楽メタデータを記憶して、音楽メタデータ取得処理は終了する。
【０１３０】
なお、ステップＳ５３では、音楽メタデータ取得部１４０は、音楽データ記憶部１３７に記憶されている音楽データの付加情報を、音楽データ記憶部１３７から取得するようにしたが、オーディオプレーヤ１１３から音楽データ取り込み部１３６に取り込まれた音楽データの付加情報を、音楽データ取り込み部１３６から取得するようにしてもよい。
【０１３１】
また、音楽メタデータ取得処理では、音楽データ取り込み部１３６が、既に音楽データ記憶部１３７に記憶されている音楽データの再生履歴のみを、オーディオプレーヤ１１３から取り込むようにすることができる。
【０１３２】
次に、図８のフローチャートを参照して、図２のスクラップブック装置で行われるスクラップブック表示制御処理について説明する。
【０１３３】
スクラップブック表示制御処理では、ステップＳ７１において、操作部１４２が、ユーザによって、スクラップブックの表示を指示する操作がされたかどうかを判定する。
【０１３４】
ステップＳ７１において、スクラップブックの表示を指示する操作がされていないと判定された場合、スクラップブックの表示を指示する操作がされたと判定されるまで、ステップＳ７１の処理が繰り返される。
【０１３５】
一方、ステップＳ７１において、スクラップブックの表示を指示する操作がされたと判定された場合、操作部１４２は、スクラップブックの表示を指示する操作に対応する操作信号を、検索部１４３に供給し、処理は、ステップＳ７２に進む。
【０１３６】
ステップＳ７２において、検索部１４３は、操作部１４２からの操作信号に応じて、表示が指示されたスクラップブックのスクラップブックメタデータに関連する音楽メタデータを検索し、処理は、ステップＳ７３に進む。
【０１３７】
ステップＳ７３において、検索部１４３は、検索の結果、表示が指示されたスクラップブックのスクラップブックメタデータに関連する音楽メタデータがあったかどうかを判定する。
【０１３８】
ステップＳ７３において、表示が指示されたスクラップブックのスクラップブックメタデータに関連する音楽メタデータがあったと判定された場合、検索部１４３は、表示が指示されたスクラップブックを表示させる旨の情報をスクラップブック表示制御部１４４に供給するとともに、表示が指示されたスクラップブックに関連する音楽メタデータに対応する音楽データを再生させる旨の情報を音楽再生制御部１４６に供給し、処理はステップＳ７４に進む。
【０１３９】
ステップＳ７４において、スクラップブック表示制御部１４４は、検索部１４３からのスクラップブックを表示させる旨の情報に応じて、スクラップブック記憶部１３３に記憶されたスクラップブックを読み出し、そのスクラップブックのページを、表示部１４５に表示させる。また、スクラップブックの表示と並行して、音楽再生制御部１４６は、検索部１４３からの音楽データを再生させる旨の情報に応じて、音楽メタデータ記憶部１４１に記憶された音楽データを読み出し、再生部１４７に再生させて、スクラップブック表示制御処理は終了する。
【０１４０】
一方、ステップＳ７３において、表示が指示されたスクラップブックのスクラップブックメタデータに関連する音楽メタデータがなかったと判定された場合、検索部１４３は、表示が指示されたスクラップブックを表示させる旨の情報をスクラップブック表示制御部１４４に供給し、処理はステップＳ７５に進む。
【０１４１】
ステップＳ７５において、スクラップブック表示制御部１４４は、検索部１４３からのスクラップブックを表示させる旨の情報に応じて、スクラップブック記憶部１３３に記憶されたスクラップブックを読み出し、そのスクラップブックのページを、表示部１４５に表示させ、スクラップブック表示制御処理は終了する。
【０１４２】
スクラップブック表示制御処理によれば、ユーザによって表示が指示されたスクラップブックが表示されるとともに、そのスクラップブックのスクラップブックメタデータに関連する音楽メタデータが検索され、その音楽メタデータに対応する音楽データが再生されるので、表示部１４５に表示されているスクラップブックに対して、スクラップブックに配置されている写真データを撮影した時に聞いていた曲や、写真データを撮影した時、または場所の雰囲気を表す曲等の、撮影時の思い出にあったBGMを付加することができる。
【０１４３】
以上のように、スクラップブック装置では、複数の写真データの集まりであるスクラップブックの表示が指示されたときに、スクラップブック（複数の写真データ）のメタデータであるスクラップブックメタデータに関連する音楽メタデータを検索し、表示が指示されたスクラップブックの表示を制御し、スクラップブックの表示と並行して、検索された音楽メタデータに対応する音楽データの再生を制御するようにしたので、写真データ等のコンテンツの集まりに対して、撮影時の思い出にあったBGMを付加することができる。
【０１４４】
すなわち、ユーザは、スクラップブックを見ながら、スクラップブックに配置された写真データの撮影時の思い出にあったBGMを聴くことができる。
【０１４５】
なお、本実施の形態では、ディジタルカメラで撮影した写真データの集まりを、BGMの付加の対象としたが、BGMの付加の対象は、その他、例えば、ビデオカメラで撮影した風景等の動画のコンテンツを対象として行うことが可能である。
【０１４６】
すなわち、スクラップブックにおいて、例えば、ビデオカメラで撮影した複数の動画それぞれのサムネイル画像が配置され、ユーザの操作により、そのサムネイル画像のうちのいずれかが選択されると、対応する動画が再生される。スクラップブック装置では、その動画をBGMの付加の対象とすることができる。
【０１４７】
以上、本発明をPCに適用した場合について説明したが、本発明は、PCの他、ハードディスクレコーダや、ディジタルカメラ等の、複数の画像データの集まりを表示し、音楽（音声）を再生する機能を有する装置に適用可能である。
【０１４８】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１４９】
また、プログラムは、１のコンピュータにより処理されるものであっても良いし、複数のコンピュータによって分散処理されるものであっても良い。
【０１５０】
なお、本発明の実施の形態は、上述した実施の形態に限定されるものではなく、本発明の要旨を逸脱しない範囲において種々の変更が可能である。
【符号の説明】
【０１５１】
１０１  CPU，  １０２  ROM，  １０３  RAM，  １０４  HD，  １０５  出力部，  １０６  入力部，  １０７  通信部，  １０８  ドライブ，  １０９  入出力I/F，  １１１  リムーバブル記録媒体，  １１２  カメラ，  １１３  オーディオプレーヤ，  １３１  画像データ記憶部，  １３２  スクラップブック生成部，  １３３  スクラップブック記憶部，  １３４  スクラップブックメタデータ取得部，  １３５  スクラップブックメタデータ記憶部，  １３６  音楽データ取り込み部，  １３７  音楽データ記憶部，  １３８  音楽データ分類部，  １３９  カテゴリ対応情報記憶部，  １４０  音楽メタデータ取得部，  １４１  音楽メタデータ記憶部，  １４２  操作部，  １４３  検索部，  １４４  スクラップブック表示制御部，  １４５  表示部，  １４６  音楽再生制御部，  １４７  再生部
【図１】
2010124475.tif 000003
【図２】
2010124475.tif 000004
【図３】
2010124475.tif 000005
【図４】
2010124475.tif 000006
【図５】
2010124475.tif 000007
【図６】
2010124475.tif 000008
【図７】
2010124475.tif 000009
【図８】
2010124475.tif 000010